(57)【要約】  【課題】  親機の最大電源容量を少なくすることができるドアホンを提供すること。  【解決手段】  子機の通話回路と親機の通話回路との間で通話がなされると共に子機のカメラで撮影された映像を親機の表示部で表示するテレビドアホンにおいて、前記親機は、待機時に前記子機への電源供給を行うと共に、前記子機からの呼出信号の検出時に子機への電源供給を停止する電源供給回路を備え、前記子機は、前記親機の電源供給回路から供給される電源を充電して、カメラを駆動する内部電池を備えた。  【選択図】  図１
2006287334.tif 000002
【特許請求の範囲】
【請求項１】
子機の通話回路と親機の通話回路との間で通話がなされると共に子機のカメラで撮影された映像を親機の表示部で表示するテレビドアホンにおいて、
前記親機は、待機時に前記子機への電源供給を行うと共に、前記子機からの呼出信号の検出時に子機への電源供給を停止する電源供給回路を備え、
前記子機は、前記親機の電源供給回路から供給される電源を充電して、カメラを駆動する内部電池を備えたことを特徴とするテレビドアホン。
【請求項２】
前記子機は、前記親機の電源供給回路からの電源供給が停止したことを検出して前記内部電池によりカメラを駆動させ、また、前記親機の電源供給回路からの電源供給が再開したことを検出して前記内部電池によるカメラの駆動を停止することを特徴とする請求項１記載のテレビドアホン。
【発明の詳細な説明】
【技術分野】
【０００１】
本発明は、テレビドアホンに関する。
【背景技術】
【０００２】
従来から、戸外に配置された子機と住戸内に配置された親機との間で呼び出しや通話を行うドアホンが使用されているが、子機に撮影用のカメラを取り付けると共に親機に映像表示用の表示部を備え、呼び出し及び通話の機能に加えて、子機のカメラで来訪者等を撮影し、その映像を親機の表示部に表示するテレビドアホンが使用されている（例えば、特許文献１参照）。
【０００３】
そして、この種のテレビドアホンでは、親機と子機とが線路で互いに接続され、この線路を介して親機から子機へ電源を供給すると共に、音声や映像などの各種の信号を親機と子機との間で送受している。
【特許文献１】特開２００２−１１２２５１号公報
【発明の開示】
【発明が解決しようとする課題】
【０００４】
テレビドアホンは通話だけでなく、カメラによる撮影や、撮影した映像を表示するために大きな電力を消費する。通話動作時において、親機は表示部を動作させることに加えて、さらに、子機に内蔵されるカメラへの電源も供給することから、非常に大きな電力を消費する。そのため、親機は、カメラの分と併せて電源の容量を大きくしなければならなかった。
【０００５】
本発明は、上記課題を解決するためになされたもので、親機の最大電源容量を少なくすることができるドアホンを提供することを目的とする。
【課題を解決するための手段】
【０００６】
本発明は、子機の通話回路と親機の通話回路との間で通話がなされると共に子機のカメラで撮影された映像を親機の表示部で表示するテレビドアホンにおいて、前記親機は、待機時に前記子機への電源供給を行うと共に、前記子機からの呼出信号の検出時に子機への電源供給を停止する電源供給回路を備え、前記子機は、前記親機の電源供給回路から供給される電源を充電して、カメラを駆動する内部電池を備えたことを特徴とする。
【０００７】
また、前記子機は、前記親機の電源供給回路からの電源供給が停止したことを検出して前記内部電池によりカメラを駆動させ、また、前記親機の電源供給回路からの電源供給が再開したことを検出して前記内部電池によるカメラの駆動を停止することを特徴とする。
【発明の効果】
【０００８】
本発明は、子機の通話回路と親機の通話回路との間で通話がなされると共に子機のカメラで撮影された映像を親機の表示部で表示するテレビドアホンにおいて、前記親機は、待機時に前記子機への電源供給を行うと共に、前記子機からの呼出信号の検出時に子機への電源供給を停止する電源供給回路を備え、前記子機は、前記親機の電源供給回路から供給される電源を充電して、カメラを駆動する内部電池を備えたので、親機は、通話動作時に子機のカメラへの電源供給を行う必要がなくなり、その分だけ最大電源容量を小さくすることができる。その結果、電源を小さくでき、省スペース化、低コスト化が可能となる。
【０００９】
また、前記子機は、前記親機の電源供給回路からの電源供給が停止したことを検出して前記内部電池によりカメラを駆動させ、また、前記親機の電源供給回路からの電源供給が再開したことを検出して前記内部電池によるカメラの駆動を停止するので、子機の呼出操作に連動して、確実にカメラを駆動させることができ、子機のカメラで撮影された映像を親機の表示部で表示することができる。また、通話動作終了に伴い、親機の電源供給回路からの電源供給が再開したことを検出して、カメラの駆動を停止させることができるので、待機状態に復帰して、内部電池の再充電を確実に行うことができる。
【発明を実施するための最良の形態】
【００１０】
図１は、本発明の一実施例であるテレビドアホンの構成を示すブロック図である。
【００１１】
図１において、１０は住戸内に配置された親機、５０は戸外に配置された子機であり、親機１０と子機５０とは音声線Ｌ１、映像線Ｌ２を介して接続されている。
【００１２】
子機５０において、５１は来訪者によって操作される呼出ボタン、５２は音声線Ｌ１に接続されると共に、呼出ボタン５１の操作によって呼出信号を音声線Ｌ１上に送出する呼出回路、５３は音声線Ｌ１に接続されると共にマイクとスピーカ（図示せず）を有する通話回路である。
【００１３】
６１は来訪者を撮影するカメラとしてのＣＣＤセンサ、６０は映像線Ｌ２と接続されると共に、ＣＣＤセンサ６１によって撮影された映像信号を変調する変調回路である。このＣＣＤセンサ６１、変調回路６０は映像ユニットＵ２を構成する。映像ユニットＵ２は、映像線Ｌ２上に映像信号を送出するものである。
【００１４】
５５は映像線Ｌ２に接続される逆流防止用のダイオード、５６親機１０から供給される電源を充電する内部電池である。内部電池５６としては、例えばスーパーキャパシタ（電気２重層キャパシタ）を採用することができる。このキャパシタは、コンデンサによって電気を蓄えるものであるが、一般のコンデンサに比べて体積当り、１０００倍以上の静電容量を持つ。そして、通常のバッテリと比べて、薄型、何度充放電してもほとんど劣化しない、過酷な環境でも変わらず動作することが可能である、などの特徴がある。
【００１５】
５７は映像ユニットＵ２に電源を供給する内部電源回路、５８は映像線Ｌ２に接続されると共に、親機１０からの電源供給を監視する電源供給監視回路である。電源供給監視回路５８は、親機１０からの電源供給が停止したときに、内部電源回路５７に起動命令を出力する。これによって、内部電源回路５７が起動し、内部電池５６の放電電力を入力して、映像ユニットＵ２に供給するので、映像ユニットＵ２が駆動することが可能となる。なお、内部電池５６の放電電力は、ダイオード５５によって、映像線Ｌ２側に入力されることが防止されている。
【００１６】
つぎに、親機１０において、１１は切替回路、１２はマイクとスピーカ（図示せず）を有する通話回路、１３は子機５０からの呼出信号を検出する呼出検出回路であり、切替回路１１は、一端が音声線Ｌ１に接続され、他端が通話回路１２又は呼出検出回路１３に選択的に切換接続される接点を有し、接点の他端は、常時は呼出検出回路１３に接続されている。１４は通話ボタン等の各種ボタン（図示せず）を有する操作部、１６は親機１０全体を制御する制御部であり、呼出検出回路１３が呼出信号を検出したときに、その呼出入力が行われる。
【００１７】
２０は待機時に子機５０への電源供給を行うと共に、子機５０からの呼出信号の検出時に子機５０への電源供給を停止する電源供給回路であり、映像線Ｌ２に接続されている。また、２２は変調された映像信号を復調する復調回路、２３は表示部としてのＬＣＤであり、復調回路２２、ＬＣＤ２３は表示ユニットＵ１を構成する。
【００１８】
なお、電源供給回路２０は、子機５０からの呼出信号の検出時には、表示ユニットＵ１に電源を供給して駆動させるようになっている。電源供給回路２０は、最大電力が要求される通話動作時においては、子機５０への電源供給を停止するので、その分だけ最大電源容量を従来よりも小さくすることが可能となっている。
【００１９】
また、２４は商用電源に接続された電源回路であり、通話回路１２、呼出検出回路１３、制御回路１６、電源供給回路２０に電源を供給している。電源回路２４においても、電源供給回路２０の最大電力が小さくなった分だけ、最大電源容量を従来よりも小さくすることが可能となっている。
【００２０】
つぎに、本実施例の動作について説明する。親機１０は、子機５０からの呼出信号を呼出検出回路１３が検出したときの呼出入力を制御部１６が監視しており、呼出入力がない待機時においては、制御部１６が電源供給回路２０に子機５０への電源供給命令を出力している。この子機５０への電源供給命令によって、電源供給回路２０は映像線Ｌ２を介して、子機５０に電源を供給している。また、表示ユニットＵ１への電源供給を停止している。
【００２１】
子機５０においては、親機１０の電源供給回路２０から供給される電源を、映像線Ｌ２、ダイオード５５を介して内部電池５６が充電している。また、電源供給監視回路５８は、親機１０から電源が供給されているので、内部電源回路５７に起動停止命令を出力しており、これにより、内部電源回路５７は内部電池５６からの放電電力の入力を、映像ユニットＵ２に供給せず、映像ユニットＵ２を駆動させないので、内部電池５６は充電を促進することが可能となっている。
【００２２】
つぎに、子機５０において、来訪者が呼出ボタン５１をオン操作すると、その操作を呼出回路５２が検出し、呼出信号を音声線Ｌ１上に出力する。親機１０は、その呼出信号を呼出検出回路１３が検出し、制御部１６に呼出入力を行う。その呼出入力によって制御部１６は、内部音響（図示せず）から呼出音を鳴動させる。住居人によって操作部１４の通話ボタン（図示せず）がオン操作されれば、制御部１６は、切替回路１１における接点の他端を通話回路１２側に切換接続するので、音声線Ｌ１を介して、親機１０の通話回路１２と子機５０の通話回路５３とによる通話が可能となる。
【００２３】
また、制御部１６は呼出入力によって、電源供給回路２０に子機５０への電源供給停止命令を出力し、この子機５０への電源供給停止命令によって、電源供給回路２０は映像線Ｌ２を介した子機５０への電源供給を停止する。また、表示ユニットＵ１への電源供給を行う。
【００２４】
子機５０においては、電源供給監視回路５８が、親機１０から電源の供給が停止したことを検出して、内部電源回路５７に起動命令を出力する。これにより、内部電源回路５７は、内部電池５６からの放電電力の入力を、映像ユニットＵ２に供給して、映像ユニットＵ２を駆動させる。
【００２５】
これによって、映像ユニットＵ２においては、ＣＣＤセンサ６１によって来訪者が撮像され、その映像信号が変調回路６０で変調されて、映像線Ｌ２上に送出される。そして、親機１０においては、子機５０からの映像信号が復調回路２２を介して表示部２３に表示されるので、住居人は、来訪者の映像を見ながら、通話を行うことが可能となる。
【００２６】
なお、通話終了に伴い操作部１４の通話ボタン（図示せず）がオフ操作された場合や、制御部１６が呼出入力を検出後も操作部１４の通話ボタン（図示せず）がオン操作されずに所定時間が経過した場合（住居人が不在の場合）は、親機１０は、制御部１６によって、切替回路１１の接点他端を呼出検出回路１３に接続し、また、電源供給回路２０に子機５０への電源供給命令を出力して、電源供給回路２０による子機５０への電源供給を再開して、待機状態に復帰する。また、それに連動して、子機５０も、電源供給監視回路５８によって、親機１０の電源供給回路２０からの電源供給が再開したことを検出して、内部電源回路５７に起動停止命令を出力し、これによって、映像ユニットＵ２の駆動を停止して、待機状態に復帰する。
【００２７】
この発明に利用されるテレビドアホンは、子機５０の通話回路５３と親機１０の通話回路１２との間で通話がなされると共に子機５０のカメラとしてのＣＣＤセンサ６１で撮影された映像を親機１０の表示部としてのＬＣＤ２３で表示するテレビドアホンにおいて、親機１０は、待機時に子機５０への電源供給を行うと共に、子機１０からの呼出信号の検出時に子機１０への電源供給を停止する電源供給回路２０を備え、子機５０は、親機１０の電源供給回路２０から供給される電源を充電して、カメラ６１を駆動する内部電池５６を備えたので、親機１０は、通話動作時に子機５０のカメラ６１への電源供給を行う必要がなくなり、その分だけ最大電源容量を小さくすることができる。その結果、電源を小さくでき、省スペース化、低コスト化が可能となる。
【００２８】
また、子機５０は、親機１０の電源供給回路２０からの電源供給が停止したことを検出して内部電池５６によりカメラ６１を駆動させ、また、親機１０の電源供給回路２０からの電源供給が再開したことを検出して内部電池５６によるカメラ６１の駆動を停止するので、子機５０の呼出操作に連動して、確実にカメラ６１を駆動させることができ、子機５０のカメラ６１で撮影された映像を親機１０の表示部２３で表示することができる。また、通話動作終了に伴い、親機１０の電源供給回路２０からの電源供給が再開したことを検出して、カメラ６１の駆動を停止させることができるので、待機状態に復帰して、内部電池５６の再充電を確実に行うことができる。
【００２９】
なお、上記実施例においては、テレビドアホンを用いて説明したが、親機１０と子機５０とを少なくとも備えていればよく、その他に、管理室機、集合玄関機、通話制御装置等を備えた集合住宅向けインターホンシステムに適用してもよい。
【００３０】
また、上記実施例において、親機１０が、電源供給回路２０と表示ユニットＵ１との間の経路に、内部電池５６と同様の内部電池と、内部電源回路５７と同様の内部電源回路を設け、また、映像線Ｌ２に電源供給監視回路５８と同様の電源供給監視回路を設ける構成としてもよい。そして、電源供給監視回路が、電源供給回路２０による映像線Ｌ２上への電源供給の検出又は未検出により、内部電源回路に起動停止命令又は起動命令を出力し、これにより、内部電源回路が内部電池からの放電電力の入力を、表示ユニットＵ１に未供給又は供給するようにすれば、親機１０は、通話動作時に表示ユニットＵ１への電源供給も行う必要がなくなり、より一層最大電源容量を小さくすることができる。
【００３１】
また、上記実施例において、映像を伴う通話を行う際に、親機１０は、一定時間の通話経過により、電源供給回路２０に子機５０への電源供給命令を出力して、強制的に通話を終了するようにしてもよい。これによって、限られた電源容量の内部電池５６でも、多くの回数の通話を行うことが可能となる。
【図面の簡単な説明】
【００３２】
【図１】テレビドアホンの構成を示すブロック図である。
【符号の説明】
【００３３】
１０  親機、１１  切替回路、１２  通話回路、１３  呼出検出回路、１４  操作部、１６  制御部、２０  電源供給回路、２２  復調回路、２３  ＬＣＤ（表示部）、２４  電源回路、５０  子機、５１  呼出ボタン、５２  呼出回路、５３  通話回路、５５  ダイオード、５６  内部電池、５７  内部電源回路、５８  電源供給監視回路、６０  変調回路、６１  ＣＣＤセンサ（カメラ）、Ｕ１  表示ユニット、Ｕ２  映像ユニット、Ｌ１  音声線、Ｌ２  映像線
【図１】
2006287334.tif 000003